(57)【要約】【課題】  周囲から様々な振動や衝撃が入力しやすい環境下においても、支持されているコアが破損等することがない構造を備えたコアユニットを提供する事を課題とする。【解決手段】  第１コア１１と、該第１コア１１を覆って被取付部であるインサート成形部１上に支持する第１コア支持具２１とを備えた第１コアユニット９において、第１コア支持具２１に設けられた押圧作用部で該第１コア１１をインサート成形部１の方向であるＸ方向に押圧するとともに、該第１コア１１をＸ方向に略直交する方向であるＹ方向に第１狭持作用部で狭持し、及びＸ方向とＹ方向に略直交する方向であるＺ方向に第２狭持作用部で狭持し、更に該第１コア支持具２１をインサート成形部１に係止して該押圧作用部とインサート成形部１との間で狭持する少なくとも一対の係止部を備えた第１コアユニット９を提供する。【選択図】図１  
2005093451.tif 000002
【特許請求の範囲】
【請求項１】
コアと、該コアを覆って被取付部上に支持するコア支持具とを備えたコアユニットにおいて、
該コア支持具に設けられて、該コアを該コアから被取付部に向かう方向であるＸ方向に押圧する押圧作用部と、
該コア支持具に設けられて、該コアをＸ方向に略直交するＹ方向より狭持する第１狭持作用部と、
該コア支持具に設けられて、該コアをＸ方向及びＹ方向に略直交するＺ方向より狭持する第２狭持作用部と、
該コア支持具を該被取付部に係止して、該コアを該押圧作用部と該被取付部との該Ｘ方向で狭持する少なくとも１対の係止部と、を備えることを特徴とするコアユニット。
【請求項２】
該一対の係止部は、該Ｙ方向、及び該Ｚ方向に対していずれもずれた位置で該コア支持具に設けられていることを特徴とする請求項１に記載のコアユニット。
【請求項３】
該被取付部には、該Ｘ方向と略直交する一方向及び反対方向に突出した一対の係止凸部が形成され、該係止部には該Ｘ方向と略直交する一方向から反対方向に開口した一対の係止開口部が形成され、該係止凸部が該係止開口部に挿入されて係止されることを特徴とする請求項１または２に記載のコアユニット。
【請求項４】
該被取付部には、穿設された係止螺合部が形成され、該係止部には貫通孔が形成され、該貫通孔を貫いて該係止螺合部に螺合する螺子により係止されることを特徴とする請求項１または２に記載のコアユニット。
【請求項５】
該被取付部は、電気回路が内蔵されたモールド成形部品であることを特徴とする請求項１乃至４のいずれか１項に記載のコアユニット。
【請求項６】
該被取付部は、電気回路が担持された回路基板であることを特徴とする請求項１乃至４のいずれか１項に記載のコアユニット。
【請求項７】
該コアは、少なくとも、該Ｘ方向に相対する第１面及び第２面と、該第１面及び第２面に連接して該Ｙ方向に相対する第３面及び第４面と、同じく該第１面及び第２面に連接して該Ｚ方向に相対する第５面及び第６面と、により構成され、該コア支持具は、該コアを押圧する部材である押圧部と、該コアを狭持する部材である該押圧部に連接した一対の第１狭持部と、該コアを狭持する部材である該押圧部または該一対の第１狭持部の少なくともいずれか一方に連接した一対の第２狭持部と、により構成され、該押圧作用部は該押圧部に該第１面と接して設けられて該コアを押圧し、該第１狭持作用部は該一対の第１狭持部に該第３面及び４面と接して設けられて該コアを狭持し、該第２狭持作用部は該一対の第２狭持作用部に該第５面及び６面と接して設けられて該コアを狭持し、該少なくとも一対の係止部は被取付部に係止されて該第２面を被取付部に当接し、該押圧作用部と被取付部との間で該コアを狭持することを特徴とする請求項１に記載のコアユニット。
【請求項８】
相対する第１面及び第２面と、該第１面及び第２面に連接して相対する第３面及び第４面と、同じく該第１面及び第２面に連接して相対する第５面及び第６面と、を少なくとも備えたコアを支持するコア支持具において、該第１面に接して該コアを押圧する押圧作用部を備えた押圧部と、該押圧部に連接して、該第３面及び第４面に接して該コアを狭持する狭持作用部を備えた一対の第１狭持部と、該押圧部または一対の第１狭持部の少なくともいずれか一方に連接して、該第５面及び第６面に接して該コアを狭持する狭持作用部を備えた一対の第２狭持部と、
該一対の第１狭持部または一対の第２狭持部の少なくともいずれか一方に設けられて、該第２面が該コアを担持する被取付部に当接した状態で外被取付部に係止する少なくとも一対の係止部と、を備えたことを特徴とするコア支持具。
【請求項９】
該係止部は該一対の第１狭持部の一方及び他方それぞれに設けられるとともに、該係止部は該一対の第２狭持部の一方から他方に向かう方向に対してずれた位置に設けられることを特徴とする請求項８に記載のコア支持具。
【請求項１０】
該被取付部には、該コアの第２面に当接する面に対して略直交する一方向及び反対方向に突出した少なくとも一対の係止凸部が形成され、該係止部には該コアの第３面及び第４面、または第５面及び第６面の少なくとも一方の対をなす面と接する方向に開口した少なくとも一対の係止開口部が形成され、該係止凸部が該係止開口部に挿入されて係止されることを特徴とする請求項８または９に記載のコア支持具。
【請求項１１】
該被取付部には、穿設された係止螺合部が形成され、該係止部には貫通孔が形成され、該貫通孔を貫いて該係止螺合部に螺合する螺子により係止されることを特徴とする請求項８または９に記載のコア支持具。
【発明の詳細な説明】
【技術分野】
【０００１】
本発明は、コアユニット及びコア支持具に関し、特に振動箇所に支持されるコアユニット及びコア支持具に関する。
【背景技術】
【０００２】
ＤＣ−ＤＣコンバータやインバータ等の電源装置においては、発生するノイズ低減のため、回路途中にノイズフィルタを設けている。このノイズフィルタはコアユニット等を含むコイル及びコンデンサ等より構成される。このコアユニットは、一般に一対のコア（鉄芯）を重合して形成されるものであり、これを回路上に支持する事例としては、コアユニットを回路上に着脱可能な外装ケースに嵌入して固定する装置が知られている（例えば特許文献１参照。）。
【特許文献１】特開２００２−２４６２３５号（第５〜７頁、第１図）
【発明の開示】
【発明が解決しようとする課題】
【０００３】
しかし、従来の装置によるコア支持具は、一対のコアの重合する面に対して垂直方向若しくはそれに直交する方向の一軸方向よりコアを狭持する構造であり、狭持されている箇所以外のコアの被支持箇所については、加圧等されることなく、コア支持具は単にコアに対してその変位を制止するために当接するものにすぎなかった。
【０００４】
一般の電子機器等においては振動等が発生する箇所での使用を前提としていないため、当該装置によっても、その機能が損なわれることなくコアユニットを保持することが可能である。しかし、当該装置を例えば電気自動車のように周囲から様々な振動や衝撃が入力しやすい環境下におくと、コアユニットを狭持することなく当接して支持している箇所において振動が発生し、これによりコアにひび割れ等が発生し、破損するおそれがあった。
【０００５】
そこで本発明は、上記課題を解決し、周囲から様々な振動や衝撃が入力しやすい環境下においても、支持されているコアが破損等することがない構造を備えたコアユニット及びコア支持具を提供することを目的とする。
【課題を解決するための手段】
【０００６】
上記目的を達成するために、本発明は、コアと、該コアを覆って被取付部上に支持するコア支持具とを備えたコアユニットにおいて、該コア支持具に設けられて、該コアを該コアから被取付部に向かう方向であるＸ方向に押圧する押圧作用部と、該コア支持具に設けられて、該コアをＸ方向に略直交するＹ方向より狭持する第１狭持作用部と、該コア支持具に設けられて、該コアをＸ方向及びＹ方向に略直交するＺ方向より狭持する第２狭持作用部と、該コア支持具を該被取付部に係止して、該コアを該押圧作用部と該被取付部との該Ｘ方向で狭持する少なくとも１対の係止部と、を備えるコアユニットを提供している。
【０００７】
このコアユニットでは、コアがコア支持具により被取付部に押圧して固定され、このコアを押圧しているコア支持具により、押圧をかけている該Ｘ方向以外の該Ｙ方向、該Ｚ方向からコアを狭持する事となり、該コアがこれを支持するコア支持具及び被取付部とともに移動する。
【０００８】
またこのコアユニットの該一対の係止部は、該Ｙ方向、及び該Ｚ方向に対していずれもずれた位置で該コア支持具に設けられてもよい。
【０００９】
これにより、一対の係止部が該Ｙ方向、及び該Ｚ方向において同一直線上に配置されることがない。
【００１０】
またこのコアユニットの該被取付部には、該Ｘ方向と略直交する一方向及び反対方向に突出した一対の係止凸部が形成され、該係止部には該Ｘ方向と略直交する一方向から反対方向に開口した一対の係止開口部が形成され、該係止凸部が該係止開口部に挿入されて係止されてもよい。
【００１１】
さらにこのコアユニットの該被取付部には、穿設された係止螺合部が形成され、該係止部には貫通孔が形成され、該貫通孔を貫いて該係止螺合部に螺合する螺子により係止されてもよい。
【００１２】
さらにこのコアユニットの該被取付部は、電気回路が内蔵されたモールド成形部品であってもよい。
【００１３】
さらにこのコアユニットの該被取付部は、電気回路が担持された回路基板であってもよい。
【００１４】
さらにこのコアユニットの該コアは、少なくとも、該Ｘ方向に相対する第１面及び第２面と、該第１面及び第２面に連接して該Ｙ方向に相対する第３面及び第４面と、同じく該第１面及び第２面に連接して該Ｚ方向に相対する第５面及び第６面と、により構成され、該コア支持具は、該コアを押圧する部材である押圧部と、該コアを狭持する部材である該押圧部に連接した一対の第１狭持部と、該コアを狭持する部材である該押圧部または該一対の第１狭持部の少なくともいずれか一方に連接した一対の第２狭持部と、により構成され、該押圧作用部は該押圧部に該第１面と接して設けられて該コアを押圧し、該第１狭持作用部は該一対の第１狭持部に該第３面及び４面と接して設けられて該コアを狭持し、該第２狭持作用部は該一対の第２狭持作用部に該第５面及び６面と接して設けられて該コアを狭持し、該少なくとも一対の係止部は被取付部に係止されて該第２面を被取付部に当接し、該押圧作用部と被取付部との間で該コアを狭持してもよい。
【００１５】
これにより少なくとも６面体からなるコアをＸ方向に相対する一対となる２面で被取付部に固定するととともに、他のＹ方向、Ｚ方向よりコア支持具で狭持する事が可能となる。
【００１６】
本発明は、さらに、相対する第１面及び第２面と、該第１面及び第２面に連接して相対する第３面及び第４面と、同じく該第１面及び第２面に連接して相対する第５面及び第６面と、を少なくとも備えたコアを支持するコア支持具において、該第１面に接して該コアを押圧する押圧作用部を備えた押圧部と、該押圧部に連接して、該第３面及び第４面に接して該コアを狭持する狭持作用部を備えた一対の第１狭持部と、該押圧部または一対の第１狭持部の少なくともいずれか一方に連接して、該第５面及び第６面に接して該コアを狭持する狭持作用部を備えた一対の第２狭持部と、該一対の第１狭持部または一対の第２狭持部の少なくともいずれか一方に設けられて、該第２面が該コアを担持する被取付部に当接した状態で外被取付部に係止する少なくとも一対の係止部と、を備えたコア支持具を提供している。
【００１７】
このコア支持具によると、相対する第１面及び第２面、相対する第３面及び第４面、相対する第５面及び第６面を少なくとも備えたコアをその該第１面より押圧して該第２面を被取付部に当接するととともに、第３面及び第４面、第５面及び第６面より狭持することが可能となる。
【００１８】
このコア支持具は、該係止部は該一対の第１狭持部の一方及び他方それぞれに設けられるとともに、該係止部は該一対の第２狭持部の一方から他方に向かう方向に対してずれた位置に設けられてもよい。
【００１９】
これにより、該係止部が該一対の第１狭持部の一方から他方へ向かう方向、及び該一対の第２狭持部の一方から他方に向かう方向に対して同一直線上に配置されることがない。
【００２０】
またこのコア支持具の該被取付部には、該コアの第２面に当接する面に対して略直交する一方向及び反対方向に突出した少なくとも一対の係止凸部が形成され、該係止部には該コアの第３面及び第４面、または第５面及び第６面の少なくとも一方の対をなす面と接する方向に開口した少なくとも一対の係止開口部が形成され、該係止凸部が該係止開口部に挿入されて係止されてもよい。
【００２１】
さらにこのコア支持具の該被取付部には、穿設された係止螺合部が形成され、該係止部には貫通孔が形成され、該貫通孔を貫いて該係止螺合部に螺合する螺子により係止されてもよい。
【発明の効果】
【００２２】
請求項１記載のコアユニットによれば、コアユニットを被取付部に取り付けたときに、コアがコア支持具の押圧作用部及びコア支持具を被取付部に係止する係止部により、該コアから被取付部に向かう方向であるＸ方向に押圧され、この押圧作用部及び被取付部の間で狭持されて固定されることになる。このときコアはコア支持具に設けられた第１狭持作用部、第２狭持作用部により２方向より狭持される。従って、コアはコア支持具により略直交する三方向から狭持されることになる。よって、コア支持具は被取付部に対して反力を受けつつ係止され、被取付部とコア支持具は振動等に対して一体となって動くことになる。このコア支持具に略直交する三方向より狭持され、被取付部に固定されるコアは振動等に対してコア支持具及び被取付部と一体になって動くため、結果的に被取付部に対して、振動等によるコアのずれ及びコアユニット自体のずれが発生しないコアユニットを提供することが可能となる。
【００２３】
請求項２記載のコアユニットによれば、コアユニットが係止される被取付部に対して、該係止部が同一直線上に配置されることがない。これにより、係止部が同一直線上にあって、この直線を軸としてコアユニットが回動する事を防止することが可能となる。
【００２４】
請求項３記載及び請求項４のコアユニットによれば、コアユニットを被取付部に係止する際に、係止することが可能となる。請求項３に記載の係止凸部が係止開口部に観入されて係止される場合には、そのコアユニットを被取付部に係止する際に、特に工具等必要なく、簡易に係止することが可能であり、請求項４に記載される係止螺合部と係止部の貫通孔を螺子により螺合して係止される場合には、そのコアユニットを被取付部に強固に固定することが可能となる。
【００２５】
請求項５記載及び請求項６のコアユニットによれば、その被取付部が電気回路が内蔵されたモールド成型品等の立体的形状であるものや、電気回路が担持された回路基板等の平面的形状であるものについても、係止することが可能となる。
【００２６】
請求項７記載のコアユニットによれば、該Ｘ方向に相対する第１面及び第２面と、該第１面及び第２面に連接して該Ｙ方向に相対する第３面及び第４面と、同じく該第１面及び第２面に連接して該Ｚ方向に相対する第５面及び第６面と、より構成されたコアを、Ｙ方向からは第１狭持部に設けられた第１狭持作用部で、Ｚ方向からは第２狭持部に設けられた第２狭持作用部で狭持する。そして、Ｘ方向については、押圧部に設けられた押圧作用部でコアを押圧するとともに、コアの第２面が被取付部に当接することにより、押圧部と被取付部の間で狭持される。よって被取付部に固定されるとともに、三方より狭持されることになり、被取付部に対してコアのずれ、破損等を防止することが可能なコアユニットを提供することが可能となる。
【００２７】
請求項８記載のコア支持具によれば、相対する第１面及び第２面と、第１面及び２面に連接して相対する第３面及び第４面と、同じく第１面及び２面に連接して相対する第５面及び第６面とを少なくとも備えたコアを、第３面及び第４面、第５面及び第６面方向からそれぞれ第１狭持部及び第２狭持部にそれぞれ設けられた狭持作用部で狭持するととともに、第１面及び第２面方向で押圧部に設けられた押圧作用部と被取付部との間でコアインサート成形部１を被取付部に当接して狭持し、固定することにより、コアのずれ、破損等を防止することが可能なコア支持具を提供することが可能となる。
【００２８】
請求項９記載のコア支持具によれば、コア支持具を被取付部に係止する係止部が、コアが狭持される一対の第１狭持部の一方及び他方に設けられるとともに、該係止部は該一対の第２狭持部の一方から他方に向かう方向に対してずれた位置に設けられることにより、該係止部が同一直線上に配置されることがない。これにより、係止部が同一直線上にあって、この直線を軸としてコア支持具が回動する事を防止することが可能となる。
【００２９】
請求項１０及び請求項１１記載のコア支持具によれば、コア支持具を被取付部に係止する際に、係止することが可能となる。請求項１０に記載の係止凸部が係止開口部に観入されて係止される場合には、そのコア支持具を被取付部に係止する際に、特に工具等必要なく、簡易に係止することが可能であり、請求項１１に記載される係止螺合部と係止部の貫通孔を螺子により螺合して係止される場合には、そのコア支持具を被取付部に強固に固定することが可能となる。
【発明を実施するための最良の形態】
【００３０】
本発明の実施の形態によるコアユニットについて図１乃至図１４に基づき説明する。図１、図２及び図５に示すインサート成形部１は、電気自動車等におけるＤＣ−ＤＣコンバータ等の車載用電源装置に関し、そのノイズフィルタ回路のみの部分を別途ユニット化したものである。具体的な回路構成としては、図３に示すように、ブスバー２ａ、ｂの途中に設けられた第１コア１１、ブスバー２ａの途中に設けられた第２コア１１１、及びブスバー２ａ、２ｂを繋ぐコンデンサ７より成立する。
【００３１】
このインサート成形部１は、図１及び図３、図４に示すように、両端に端子３ａ、３ｂ及び端子４ａ、４ｂがそれぞれ設けられたブスバー２ａ、２ｂを絶縁体である樹脂で覆うことにより形成されている。このブスバー２ａ、２ｂには、図３、図４に示すように、その経路途中でコイル５ａ、５ｂが形成されており、このコイル５ａ、５ｂの形状に沿って、図５に示すように、インサート成形部１の外装である樹脂部分にコイル部５が成形されている。
【００３２】
このインサート成形部１のブスバー２ａ、２ｂが内蔵されているコイル部５には、図５に示すように、そのコイル５ａ、５ｂの内径と略同径の貫通孔６ａが穿設されており、また、コイル部５の外周にも、その外周の円弧を一辺とした略方形の貫通孔６ｂが対になって穿設されている。よって、インサート成形部１の貫通孔６ａ及び、コイル部５、一対の貫通孔６ｂが連なって設けられている箇所は、これらが設けられている側面１０に対して略長方形の凹部１０ａを形成し、この凹部１０ａはインサート成形部１のコイル部５に対して厚さ方向の両面で略同じ形状に成形されている。この側面１０の凹部１０ａとの境界部分には凹箇所を有し、この凹箇所より側面１０に対して突出する係止凸部８ａが形成されている。また、この係止凸部８ａが形成された側面１０の反対面にも同様の係止凸部８ｂが形成されている。
【００３３】
インサート成形部１においては、図２、図５に示すように、その側面１０は略平面より構成されているが、該側面１０の第２コアユニット１０１が取り付けられる部分は、その躯体を構成する樹脂がブスバー２ｂ周辺のみに成形される。よってこの取付部分は、インサート成形部１の他の部分に比べて、凹んだ溝１０２を形成する。そしてこの溝１０２の両側面には、それぞれ係止凸部１０３ａ、１０３ｂが形成されている。また、この溝１０２は該インサート成形部１の側面１０を上下に縦断して設けられているが、ブスバー２ｂを覆う箇所にのみその溝１０２の底部が形成されている。よって当該溝１０２のその他の部分においては、底部が解放されてその側面のみで形成され、特に溝１０２の上方では、その側面の底部が解放された位置に、その側面に対して略直角に切立した切立部１０４ａ、１０４ｂが形成されている。
【００３４】
当該実施の形態におけるインサート成形部１は、図１、図２に示すように、第１コア１１及び第２コア１１１を含んで形成されるため、それぞれのコアより形成される第１コアユニット９及び第２コアユニット１０１を備えることになる。以下第１コアユニット及び第２コアユニットの構成及びこれらコアユニットのインサート成形部１への取付手順について説明する。
【００３５】
該コイル部５と関係してノイズフィルタ回路の一部を形成する第１コア１１は、図６に示すように一対のＥ型コア１１ａおよびＥ型コア１１ｂが重合して形成されるものであり、このＥ型コア１１ａ、１１ｂは重合する面に対して鏡像となるように形成されたものである。このＥ型コア１１ａは、長方形のベース部１２ａと、そのベース部１２ａの短辺に沿って延び、ベース部１２ａから略垂直に突出する一対の外脚部１３ａを有し、また一対の外脚部１３ａを有する面の中心より外脚部１３ａと同一方向に突出する円柱状の軸芯部１４ａを有している。
【００３６】
この軸芯部１４ａの突出している量は、外脚部１３ａに比べて若干小さくなっている。従って、Ｅ型コア１１ａとＥ型コア１１ｂとを重合して一体した場合は、外脚部１３ａ及び外脚部１３ｂの端面がそれぞれ重合し、軸芯部１４ａ及び軸芯部１４ｂそれぞれの端面は重合せずにその端面間にギャップを有して、一連の経路を有する第１コア１１を形成する。また、該ギャップは第１コア１１とコイル部５とによって形成されるインダクタンスの特性を定める要因となるものであり、異なるギャップを形成するコアによりノイズフィルタとしての性能も異なることになる。
【００３７】
この第１コア１１は、Ｅ型コア１１ａとＥ型コア１１ｂとが重合しただけで特に固定されているものではないため、第１コア支持具２１により互いに固定される。
【００３８】
図７に示す第１コア支持具２１は、耐食性、耐熱性等のある素材、たとえばステンレス鋼等、バネ素材の板をその断面が略コの字型になるように曲加工したものであり、図８、図９に示すように略コの字型の第１コア支持具２１で第１コア１１を覆い、このコア１１をインサート成形部１に固定するものである。
【００３９】
略コの字型断面からなる第１コア支持具２１は、そのコの字型形状の底部となる押圧部２２と、この押圧部２２の両端より押圧部２２に対して直交して延設される一対の第１狭持部２４ａ、２４ｂを有する。そして、この延設された一対の第１狭持部２４ａ、２４ｂの両側部より、この第１狭持部２４ａ、２４ｂに対して略直交して延設される一対の第２狭持部２６ａ、２６ｂを有する。
【００４０】
第１狭持部２４ａと押圧部２２との連接部分に渡って略コの字型にその板材が刳貫されて、第１狭持部２４ａ側に連接した板片２３ａが形成される。この板片２３ａは第１コア支持具２１を形成するコの字型の内方において押圧部２２と略平行になるように折曲され、この板片２３ａが第１コア１１と当接して、第１コア１１を、第１コア１１からインサート成形部１の方向（以下Ｘ方向とする）に押圧する押圧作用部２３ａとなる。これと同様に第１狭持部２４ｂから押圧部２２にかけて押圧作用部２３ｂが形成される。
【００４１】
第１狭持部２４ａの中央部分には、略コの字型にその板材が刳貫されて、押圧部２２側の一辺で第１狭持部２４ａに連接した板片２５ａが形成される。この板片２５ａを連接部分を支点として相対する第１狭持部２４ｂ側へ折曲させ、第１狭持部２４ａに対して傾斜した状態となるようにする。第１狭持部２４ｂにおいても同様に板片２５ｂを有し、この板片２５ｂを第１狭持部２４ａ側へ折曲させて、第１狭持部２４ｂに対して傾斜となるようにする。この相対する第１狭持部２４ａ、２４ｂに設けられた傾斜した板片２５ａ、２５ｂが、それぞれ第１コア１１と当接する事により、前記Ｘ方向に対し略直交する方向（以下Ｙ方向とする）で第１コア１１を狭持することになる第１狭持作用部２５ａ、２５ｂを形成する。
【００４２】
第２狭持部２６ａは、上述のように一対の第１狭持部２４ａ、２４ｂそれぞれの、押圧部２２から突出している方向の側部より該Ｘ方向及びＹ方向と略直交する方向に突出し、次にＹ方向にそれぞれ相対するように折曲して形成されている。そして、この第２狭持部２６ａから、第２狭持部２６ａが延設された方向に対して略直交して第１狭持部２４ａ、２４ｂが延設されている方向に板片２７ａが延設されている。この板片２７ａは第２狭持部２６ａから延設される起点部分を支点として、第１狭持部２４ａ、２４ｂの方へ折曲し、第２狭持部２６ａに対して、傾斜した状態となる。第２狭持部２６ｂにおいても同様に構成されて板片２７ｂを有し、この板片２７ｂを第１狭持部２４ａ、２４ｂの方へ折曲させて、第２狭持部２６ｂに対して傾斜となるようにする。この相対する第２狭持部２６ａ、２６ｂにそれぞれ傾斜した板片２７ａ、２７ｂがそれぞれ第１コア１１と当接する事により、前記Ｘ方向及びＹ方向と略直交する方向（以下Ｚ方向とする）で第１コア１１を狭持することになる第１狭第２狭持作用部２７ａ、２７ｂを形成する。
【００４３】
該第１狭持部２４ａ、２４ｂの延設された方向の端辺には被取付部であるインサート成形部１に係止する係止部２８ａ、２８ｂが形成されている。これら係止部２８ａ、２８ｂはその中央に方形の貫通孔２９ａ、２９ｂが穿設されている。また係止部２８ａ、２８ｂはそれぞれ相対する第１狭持部２４ａ、２４ｂに設けられるとともに、第２狭持部２６ａ、２６ｂが相対している方向についてずれた位置に設けられている。これは即ち該Ｙ方向、該Ｚ方向それぞれに対してずれた位置に係止部２８ａ、２８ｂが設けられることになる。以上の第１コア１１及び第１コア支持具２１より図１に示す第１コアユニット９が形成される。
【００４４】
以下、該第１コアユニット９をインサート成形部１に固定する手順について説明する。図８、図９に示す該第１コアユニット９の第１コア１１は、インサート成形部１に当接する面を第２面１６及びそれに相対する面を第１面１５、Ｅ型コア１１ａ及びＥ型コア１１ｂの各ベース部１２ａ及びベース部１２ｂの軸芯部１４ａ等が設けられた面の反対面をそれぞれ第３面１７及び第４面１８、外脚部１３ａ及び外脚部１３ｂの側面であり軸芯部１４ａ及び軸芯部１４ｂに対して外面となる面をそれぞれ第５面１９及び第６面２０とする。
【００４５】
該第１コア１１には上述のように一対の外脚部１３ａと軸芯部１４ａを備え、これに対するインサート成形部１のコイル部５周辺には一対の略方形の貫通孔６ｂ及びコイル部５の中心に穿設された貫通孔６ａが穿設されている。この貫通孔６ａと貫通孔６ｂにそれぞれＥ型コア１１ａの軸芯部１４ａと外脚部１３ａを挿入する。またＥ型コア１１ｂはＥ型コア１１ａの鏡像の形状であるため、Ｅ型コア１１ａを挿入したインサート成形部１の反対面より同じく貫通孔６ａ、貫通孔６ｂにＥ型コア１１ｂの軸芯部１４ｂと外脚部１３ｂを挿入する。このときに外脚部１３ａ及び外脚部１３ｂそれぞれの端面でＥ型コア１１ａとＥ型コア１１ｂが重合するが、これら外脚部１３ａや軸芯部１４ａ等は貫通孔６ａに隙間嵌されているだけである。よって、第１コア１１を固定するために第１コア支持具２１を使用する。
【００４６】
第１コア支持具２１は、図７及び図８に示すように、第１狭持部２４ａ、２４ｂの係止部２８ａ、２８ｂが設けられた辺より第１コア１１の第３面１７、第４面１８に第１狭持部２４ａ、２４ｂが沿って嵌入される。このときに、第１狭持作用部２５ａ、２５ｂ及び第２狭持作用部２７ａ、２７ｂは、その端部が第１コア１１に接触して第１コア１１を破損しないため、及びその狭持作用部の間に第１コア１１を容易に挿入するために、その先端が開く方向に反って設けられている。第１コア支持具２１が第１コア１１に嵌入されると第１狭持作用部２５ａ、２５ｂの間に第１コア１１が狭持されるとともに第２狭持作用部２７ａ、２７ｂの間でも第１コア１１が狭持されることになる。これにより、該Ｙ方向及び該Ｚ方向において第１コア１１と第１コア支持具２１との間の相対的な位置ずれが発生しなくなる。
【００４７】
第１コア支持具２１は第１狭持作用部２５ａ、２５ｂ及び第２狭持作用部２７ａ、２７ｂで第１コア１１を狭持した後、更に嵌入されて、押圧部２２が第１コア１１の第１面１５と当接する。そこから更に係止部２８ａ、２８ｂに穿設された貫通孔２９ａ、２９ｂに該係止凸部８ａ、８ｂが挿入される位置まで押し込まれる。押し込まれることにより、押圧部２２に設けられた押圧作用部２３ａ、２３ｂが第１コア１１の第１面１５に当接して押圧する事になる。この押圧作用部２３ａ、２３ｂは第１コア支持具２１の躯体を介して、係止部２８ａ、２８ｂでインサート成形部１と係止されているため、押圧作用部２３ａ、２３ｂとインサート成形部１の間にある第１コア１１はこの間で狭持されることになる。よって、該Ｘ方向においても第１コア１１と第１コア支持具２１及びインサート成形部１との間に相対的な位置ずれが発生しなくなる。
【００４８】
また、図８に示すように係止部２８ａ、２８ｂは、第１コアユニット９に対して対角位置に配置されているため、該Ｙ方向、該Ｚ方向それぞれに同一軸上に存在しない。よって、係止部２８ａ、２８ｂを結ぶ軸を支点として第１コアユニット９が回動する事もない。
【００４９】
次に第２コアユニット１０１について説明する。この第２コアユニット１０１に含まれる第２コア１１１は、図３に示すようにブスバー２ａの周囲を一連として繋がる経路を有するコアであり、第１コアユニット９と同様にノイズフィルタ回路の１構成部品となるものである。またこの第２コア１１１は、一対のＵ型コア１１１ａ、１１１ｂがそれぞれ、そのＵ字の開口部位置で突き合わせて重合することにより、一連の経路を有することになる。
【００５０】
第２コアユニット１０１の第２コア支持具１２１は、図１０に示すように、第１コア支持具２１と同様な素材で作られるものであり、押圧部１２２の相対する両端辺に連接して、押圧部１２２と略直交する方向に延設された第１狭持部１２４ａ、１２４ｂと、押圧部１２２の相対する両端辺でこの第１狭持部１２４ａ等と略直交する位置から延設された第２狭持部１２６ａ、１２６ｂから構成されるものである。また第２コア支持具１２１をインサート成形部１に係止する係止部は、図１０に示すように第１係止部１２８ａ、１２８ｂと第２係止部１３０ａ、１３０ｂとの２対設けられている。
【００５１】
該押圧部１２２には、その部材が略コの字型に刳貫されて一辺で押圧部１２２に連接される２対の板片１２３が形成されている。この２対の板片１２３は、押圧部１２２に連接する箇所を支点として第１狭持部等が延設される方向に折曲し、第２コア１１１を押圧する押圧作用部１２３を形成する。
【００５２】
第１狭持部１２４ａ、１２４ｂについてはそれぞれ中央周辺が相対する方向に絞り加工されて凸状部１２５ａ、１２５ｂを形成する。この凸状部１２５ａ、１２５ｂが第２コア１１１に当接して狭持する第１狭持作用部１２５ａ、１２５ｂとなる。
【００５３】
第２狭持部１２６ａ、１２６ｂについてはわずかに相対する方向に向かって傾斜するように押圧部１２２との連接部より折曲されているとともに、その先端部が略平行になるように折曲されている。この平行になった箇所が第２コア１１１に当接して狭持する第２狭持作用部１２７ａ、１２７ｂとなる。
【００５４】
２対の係止部のうち、第１係止部１２８ａ、１２８ｂについては、押圧部１２２の第１狭持部１２４ａ、１２４ｂが延設された端辺より、これらと同様に延設された腕部材から形成される。そして、その腕部にはそれぞれ係止開口部１２９ａ、１２９ｂが穿設されている。また、第２係止部１３０ａ、１３０ｂは、第１係止部と同様に押圧部１２２より延設される腕部材から形成され、その端部は、延設方向に対して略直角に折曲されて該切立部１０４ａ、１０４ｂに引掛する係止引掛部１３１ａ、１３１ｂが形成されている。以上の第２コア１１１及び第２コア支持具１２１より第２コアユニット１０１が形成される。
【００５５】
以下該第２コアユニット１０１をインサート成形部１に固定する手順について説明する。図２に示すように、第２コア１１１は、Ｕ型コア１１１ａ、１１１ｂでインサート成形部１に設けられた溝１０２に、ブスバー２ｂ周辺を挟み込むようにして設置される。よって、図１１、図１２に示すように、第２コア１１１の溝１０２の底部に当接する面は、Ｕ型コア１１１ａ、１１１ｂが重合して一連となった第２コア１１１の躯体内面となり、これを第２面１１６とし、この第２面１１６の反対面を第１面１１５とする。また、Ｕ型コア１１１ａ、１１１ｂの互いに重合する面の各Ｕ字型コアに対して反対側の面をそれぞれ、第５面１１９、第６面１２０とするとともに、この第１面、第２面及び第５面、第６面に直交して、溝１０２の側面と面する面をそれぞれ第３面１１７、第４面１１８とする。
【００５６】
そして、この溝１０２上方から、第２コア１１１を覆い被すように、第２コア支持具１２１を嵌入する。このときに、第２コア１１１は、図１１、図１２に示すように第３面１１７、第４面１１８が第１狭持作用部１２５ａ、１２５ｂ間で狭持されるとともに、第５面１１９、第６面１２０も第２狭持作用部１２７ａ、第２狭持作用部１２７ｂ間で狭持される。また第１狭持作用部１２５ａ、１２５ｂは、第３面１１７、第４面１１８のＵ型コア１１１ａとＵ型コア１１１ｂとの重合位置で狭持されるように設置する。これにより、一対の狭持作用部のみで２つのＵ型コアから構成される第２コア１１１を狭持することが可能となる。
【００５７】
第１狭持作用部１２５ａ、１２５ｂ及び第２狭持作用部１２７ａ、１２７ｂで第２コア１１１を狭持した後、更に押圧作用部１２３が第１面１１５に当接するまで第２コア支持具１２１を嵌入する。押圧作用部１２３が第１面１１５に当接した後、第２コア支持具１２１は、第１係止部１２８ａ、１２８ｂに穿設された係止開口部１２９ａ、１２９ｂに係止凸部１０３ａ、１０３ｂが挿入され、かつ第２係止部１３０ａ、１３０ｂに形成された係止引掛部１３１ａ、１３１ｂが切立部１０４ａ、１０４ｂに掛けられて係止されるまで押し込まれる。押し込まれることにより、第２コア支持具１２１は４点でインサート成形部１に固定されるとともに、第２コア１１１の第２面１１６が溝１０２の底部に押圧されることになり、押圧作用部１２３と溝１０２の底部との間で狭持されて固定されることになる。よって、当該第２コアユニット１０１においても、第２コア１１１がインサート成形部１に固定され、第２コア１１１とインサート成形部１との間に相対的な位置ずれが発生しなくなる。
【００５８】
当該実施の形態では、被取付部材をインサート成型品として言及したものであるが、これに限定されるものではなく、特許請求の範囲に記載した範囲で種々の変形や改良が可能である。例えば、その被取付部材を一般の電気回路で用いられる回路基板等として、これにコアユニットを取り付ける場合に当該発明を利用することも可能である。また、コアユニットの被取付部材への固定手段においても、当該実施例に示した係止開口部へ係止凸部を挿入することによる固定や、係止引掛部により、被取付部の切り立った箇所へ引掛して固定する手段にとらわれることなく、例えば、係止部に孔を穿設するともに、被取付部に螺子孔を穿設し、螺子により固定する手段等も可能である。この螺子により固定することにより、当該実施例で示した固定手段よりも、より強固に固定することが可能となる。
【００５９】
第２コアユニット１０１では、第１狭持作用部１２５ａ、１２５ｂを絞り加工により形成しているが、これに限られず、例えば図１３に示すように、延設した第１狭持部１３２の先端部を相対する方向に折曲して第１狭持作用部１３３を形成してもよい。また、逆に第１コアユニット９及び第２コアユニット１０１において、第１狭持作用部及び第２狭持作用部を、絞り加工により形成することも可能である。同様に、係止部においても、係止開口部に係止凸部を挿入することによる係止手段に限られず、該螺子を用いた係止手段も可能である。また、図１４に示すように、第２コアユニットの形態で第１係止部１３４、第２係止部１３５に係止引掛部１３６、１３７を用いた係止手段を用いることも可能である。
【００６０】
また、当該実施の形態では、第１コアユニット９及び第２コアユニット１０１を被取付部であるインサート成形部１に係止する係止部は、いずれも第１狭持部に併設、若しくは隣接して形成されている。しかし、実際にはその被取付部と、コアユニットの位置関係とに応じて、その係止部の位置を決めればよいのであって、特に実施の形態における位置に限られるものではない。例えば、第２狭持部に係止部を併設して形成することも可能である。即ち、係止部が、押圧作用部と被取付部との間でコアが狭持されるよう、この押圧作用部に連接される躯体に設けられ、コアユニットを一体として被取付部に固定できればよいのである。
【図面の簡単な説明】
【００６１】
【図１】第１コアユニット及び第２コアユニットを含むインサート成形部を示す斜視図である。
【図２】該インサート成形部の構成を示す分解斜視図である。
【図３】該インサート成形部内に含まれるノイズフィルタ回路を示す斜視図である。
【図４】該インサート成形部内に含まれるブスバーを示す斜視図である。
【図５】該インサート成形部よりコアユニットをのぞいた状態を示す斜視図である。
【図６】第１コアユニットに含まれる第１コアを示す斜視図である。
【図７】第１コアユニットに含まれる第１コア支持具を示す斜視図である。
【図８】第１コアユニットを示す斜視図である。
【図９】第１コアユニットを示す側面図である。
【図１０】第２コアユニットに含まれる第２コア支持具を示す斜視図である。
【図１１】第２コアユニットを示す斜視図である。
【図１２】第２コアユニットを示す斜視図である。
【図１３】第２コアユニットに含まれる第２コア支持具の一例を示す斜視図である。
【図１４】第２コアユニットに含まれる第２コア支持具の一例を示す斜視図である。
【符号の説明】
【００６２】
１  インサート成形部    ２ａ、２ｂ    ブスバー    ３ａ、３ｂ    端子
４ａ、４ｂ  端子    ５ａ、５ｂ  コイル    ５  コイル部    ６ａ、６ｂ  貫通孔
７  コンデンサ    ８ａ、８ｂ  係止凸部    ９  コアユニット    １０  側面
１０ａ    凹部    １１  コア    １１ａ、１１ｂ  Ｅ型コア
１２ａ、１２ｂ  ベース部    １３ａ、１３ｂ  外脚部    １４ａ、１４ｂ  軸芯部
１５  第１面    １６  第２面    １７  第３面    １８  第４面    １９  第５面
２０  第６面
２１  コア支持具    ２２  押圧部    ２３ａ、２３ｂ  押圧作用部
２４ａ、２４ｂ  第１狭持部      ２５ａ、２５ｂ  第１狭持作用部
２６ａ、２６ｂ  第２狭持部    ２７ａ、２７ｂ  第２狭持作用部
２８ａ、２８ｂ  係止部    ２９ａ、２９ｂ  貫通孔    １０１  コアユニット
１０２  溝    １０３ａ、１０３ｂ  係止凸部    １０４ａ   、１０４ｂ    切立部
１１１  コア    １１１ａ、１１１ｂ Ｕ型コア    １１５  第１面    １１６  第２面
１１７  第３面    １１８  第４面    １１９  第５面    １２０  第６面
１２１  コア支持具    １２２  押圧部    １２３  押圧作用部
１２４ａ、１２４ｂ  第１狭持部    １２５ａ、１２５ｂ  第１狭持作用部
１２６ａ、１２６ｂ  第２狭持部    １２７ａ、１２７ｂ  第２狭持作用部
１２８ａ、１２８ｂ  第１係止部    １２９ａ、１２９ｂ  係止開口部
１３０ａ、１３０ｂ  第２係止部    １３１ａ、１３１ｂ  係止引掛部
１３２  狭持部    １３３  狭持作用部    １３４  係止部    １３５  係止部
１３６  係止引掛部    １３７  係止引掛部
【図１】
2005093451.tif 000003
【図２】
2005093451.tif 000004
【図３】
2005093451.tif 000005
【図４】
2005093451.tif 000006
【図５】
2005093451.tif 000007
【図６】
2005093451.tif 000008
【図７】
2005093451.tif 000009
【図８】
2005093451.tif 000010
【図９】
2005093451.tif 000011
【図１０】
2005093451.tif 000012
【図１１】
2005093451.tif 000013
【図１２】
2005093451.tif 000014
【図１３】
2005093451.tif 000015
【図１４】
2005093451.tif 000016